(57)【特許請求の範囲】
【請求項１】
天壁に吸気口を有すると共に、側壁に排気口を有するチャンバ内部に、
上記吸気口と対向して通気可能に設けられた第１および第２の揮散部を有し、上記第１の揮散部が、常温揮散性の害虫防除成分を有する害虫防除剤を、該害虫防除成分を大気中に揮散可能に保持し、上記第２の揮散部が、常温揮散性の液体を保持可能であり、かつ、該液体を大気中に揮散可能に設けられている揮散性物質保持体と、
上記揮散性物質保持体を介して上記吸気口と対向して設けられ、上記吸気口から、上記揮散性物質保持体における上記第１および第２の揮散部を通して吸気する吸気ファンの回転翼とが設けられ、
上記チャンバ外部に、
上記吸気ファンの回転翼を駆動する駆動系が設けられていると共に、
上記揮散性物質保持体における上記第２の揮散部に液体を供給する液体供給手段および上記液体供給手段により上記第２の揮散部に供給される液体を収容する液体収容手段を備え、上記第１の揮散部から揮散する害虫防除成分の残量を上記液体収容手段中の液体の残量で示すインジケータ手段が、上記排気口を塞がない位置に立設されていることを特徴とする害虫防除器。
【請求項２】
吸気口と排気口とを有する筐体内部に、
上記吸気口と対向して通気可能に設けられた第１および第２の揮散部を有し、上記第１の揮散部が、常温揮散性の害虫防除成分を有する害虫防除剤を、該害虫防除成分を大気中に揮散可能に保持し、上記第２の揮散部が、常温揮散性の液体を保持可能であり、かつ、該液体を大気中に揮散可能に設けられている揮散性物質保持体と、
上記揮散性物質保持体を介して上記吸気口と対向して設けられ、上記吸気口から、上記揮散性物質保持体における上記第１および第２の揮散部を通して吸気する吸気ファンと、
上記筐体内を、上記揮散性物質保持体と吸気ファンの回転翼とを収容すると共に、上記吸気口および排気口を有するチャンバと、上記回転翼を駆動する、吸気ファンの駆動系を収容する駆動系収容部とに仕切る仕切板とが設けられ、
上記筐体側壁における上記排気口を塞がない位置に、
上記揮散性物質保持体における上記第２の揮散部に液体を供給する液体供給手段および上記液体供給手段により上記第２の揮散部に供給される液体を収容する液体収容手段を備え、上記第１の揮散部から揮散する害虫防除成分の残量を上記液体収容手段中の液体の残量で示すインジケータ手段が立設されていることを特徴とする害虫防除器。
【請求項３】
上記排気口の側壁面が、上記回転翼の回転方向に傾斜して設けられていることを特徴とする請求項１または２記載の害虫防除器。
【発明の詳細な説明】
【０００１】
【発明の属する技術分野】
本発明は、常温揮散性を有する殺虫成分もしくは忌避成分等の害虫防除成分を大気中に揮散させる、非加熱式の害虫防除器に関するものであり、より詳しくは、常温揮散性の害虫防除剤と、該害虫防除剤の害虫防除成分の残量を示すインジケータとを切り離し、上記害虫防除剤から揮散する害虫防除成分の残量を、該害虫防除成分の揮散量と比例して揮散する液体の残量にて示すインジケータ手段を備えた害虫防除器に関するものである。
【０００２】
【従来の技術】
近年、加熱式の害虫防除器に代わって、キャンプ時等、屋外で使用できるように、常温揮散性を有する殺虫成分や忌避成分を活性成分とする害虫防除剤を、紙等の保持体に含浸させ、該保持体に向けてファンで風を送ることにより活性成分を大気中に揮散させて殺虫作用を発揮させる害虫防除器が開発されている（特開平７−２３６３９９号等参照）。
【０００３】
また、害虫防除剤を含浸させた保持体自体を駆動手段により回転させて、活性成分を大気中に揮散させる害虫防除器も提案されている（特開平５−６８４５９号参照）。
【０００４】
このような害虫防除器は、加熱式の害虫防除器のように、害虫防除剤を加熱するための加熱装置を必要とせず、消費エネルギーを低く抑えることができることから、商用電源に接続する必要がなく、乾電池等を用いてファンを駆動することができる。このため、携帯性に優れ、また、害虫防除器自体あるいは周囲環境の温度上昇を防止することができ、火傷や火災等の危険性がなく、安全性に優れている。
【０００５】
しかしながら、このように害虫防除剤を保持体に含浸させて使用する場合、揮散する害虫防除剤の活性成分が目に見えないことから、その残量を確認することができない。このため、その薬効切れを判断することができず、大凡の使用可能時間の目安に頼る他はなく、その使用頻度や使用者の判断により、未だ活性成分が残っているのに使用不可能と判断されたり、逆に、薬効切れであるにも拘らず使用続行されている場合がある。
【０００６】
このため、害虫防除剤の活性成分の減少もしくは終点（薬効切れ）を確実に確認する手段の開発が望まれている。
【０００７】
従来、終点確認の方法としては、例えば、電池の寿命に害虫防除剤の活性成分量を合わせ、電池がなくなったら紙に染み込ませた害虫防除剤の活性成分がなくなるということで、紙を取り替える方法が知られている。
【０００８】
しかしながら、電池の寿命により薬効切れを判断する方法は、害虫防除剤の活性成分の減少と電池の消費とが常に並行して行なわれるわけではないことから、薬効切れと電池の寿命とにズレが生じ易く、また、害虫防除剤の活性成分の減少が確認できないことから、この場合にも大凡の使用可能時間の目安しか判らず、ある日突然、電池の寿命がきて、気が付いた時には既に薬効切れとなっている場合がある。
【０００９】
そこで、揮散させる害虫防除剤の活性成分の減少もしくは終点を目視確認する方法として、例えば特開平８−１４７号公報等のように、害虫防除剤もしくは保持体を着色し、色が消えたら保持体の取り替え時期であることを示す方法が提案されている。
【００１０】
【発明が解決しようとする課題】
しかしながら、害虫防除剤もしくは保持体を着色する方法は、着色状態を目視判断することはできるものの、この場合の着色は活性成分自体の色ではなく、添加した色素の色であり、この色が、例えば化学変化等により時間の経過と共に薄れていくことで、この色がなくなる時間と害虫防除剤の活性成分がなくなる時間とを合わせているにすぎず、害虫防除剤の活性成分の揮散と色素の色の変化とは物理的に全く異なる現象である。このため、害虫防除剤の活性成分の失効（薬効切れ）と保持体の色の消失とをうまく合わせることはできず、微妙な調節が困難であることから、終点管理がし難いという問題点を有している。
【００１１】
また、このように色の消失による終点の判断には個人差があり、また、色が変わっても斑になって終点の判別がつきにくかったり、完全に色が消失しない等の理由により、人によっては取り替え時期であると判断する人もいれば、まだ大丈夫だと判断する人もいる。このため、何れも確実に終点が判断できるものではない。
【００１２】
また、衣料用防虫材等に見られるように、香気成分等、害虫防除剤と共存させている油分が消失すると屈折率の変化により透明になるものもあるが、この場合にも、害虫防除剤の活性成分の揮散時間と、該害虫防除剤と共存させている油分の揮散時間とをうまく合わせることは困難であり、該方法もまた、終点管理が困難である。
【００１３】
従来、終点管理が容易でかつ害虫防除剤の活性成分の減少もしくは終点（薬効切れ）を確実に確認することができる害虫防除器としては、液体蚊取り器のように、溶媒に害虫防除剤を溶かした害虫防除液をボトルに収容し、該ボトルから害虫防除液を吸い上げてこれを加熱し、その活性成分と共に溶媒を揮散させることにより、害虫防除液の残量を目視確認できる害虫防除器が知られている。
【００１４】
しかしながら、上記害虫防除器を用いた方法は、害虫防除液の加熱を必要とし、常温揮散性の害虫防除剤を溶媒に溶解させてボトルに収容し、該ボトルから害虫防除液を吸い上げて風で揮散させようとすると、例えば、溶媒として、エタノールのように低沸点の溶媒を用いると、直ぐに蒸発してなくなってしまうため、ごく短時間しか使用することができず、実用的ではない。逆に高沸点の溶媒を使用した場合には、害虫防除剤の揮散性が低下し、害虫防除能の低下に繋がるという問題点がある。
【００１５】
また、このように害虫防除剤を溶媒に溶解させてボトルに収容して常温揮散型害虫防除器に使用する場合、溶媒に溶解させることにより害虫防除剤の揮散量が低下し、害虫防除剤の効力が有効に発揮されないという問題が生じる。
【００１６】
このため、常温揮散性の害虫防除剤を用いた非加熱式の害虫防除器において、終点管理が容易でかつ害虫防除剤の活性成分の減少もしくは終点（薬効切れ）を確実に確認することができる害虫防除器は知られておらず、害虫防除能に優れ、尚且つ、終点管理が容易でかつ害虫防除剤の活性成分の減少もしくは終点（薬効切れ）を確実に確認することができる害虫防除器が切望されている。
【００１７】
本発明は、上記問題天に鑑みなされたものであり、本発明の目的は、害虫防除能に優れると共に、終点管理が容易でかつ害虫防除剤の活性成分の減少もしくは終点（薬効切れ）を確実に確認することができる害虫防除器を提供することにある。
【００１８】
【課題を解決するための手段】
すなわち、本発明にかかる害虫防除器は、上記の課題を解決するために、天壁に吸気口を有すると共に、側壁に排気口を有するチャンバ内部に、上記吸気口と対向して通気可能に設けられた第１および第２の揮散部を有し、上記第１の揮散部が、常温揮散性の害虫防除成分を有する害虫防除剤を、該害虫防除成分を大気中に揮散可能に保持し、上記第２の揮散部が、常温揮散性の液体を保持可能であり、かつ、該液体を大気中に揮散可能に設けられている揮散性物質保持体と、上記揮散性物質保持体を介して上記吸気口と対向して設けられ、上記吸気口から、上記揮散性物質保持体における上記第１および第２の揮散部を通して吸気する吸気ファンの回転翼とが設けられ、上記チャンバ外部に、上記吸気ファンの回転翼を駆動する駆動系が設けられていると共に、上記揮散性物質保持体における上記第２の揮散部に液体を供給する液体供給手段および上記液体供給手段により上記第２の揮散部に供給される液体を収容する液体収容手段を備え、上記第１の揮散部から揮散する害虫防除成分の残量を上記液体収容手段中の液体の残量で示すインジケータ手段が、上記排気口を塞がない位置に立設されていることを特徴としている。
【００１９】
また、本発明にかかる害虫防除器は、上記の課題を解決するために、吸気口と排気口とを有する筐体内部に、上記吸気口と対向して通気可能に設けられた第１および第２の揮散部を有し、上記第１の揮散部が、常温揮散性の害虫防除成分を有する害虫防除剤を、該害虫防除成分を大気中に揮散可能に保持し、上記第２の揮散部が、常温揮散性の液体を保持可能であり、かつ、該液体を大気中に揮散可能に設けられている揮散性物質保持体と、上記揮散性物質保持体を介して上記吸気口と対向して設けられ、上記吸気口から、上記揮散性物質保持体における上記第１および第２の揮散部を通して吸気する吸気ファンと、上記筐体内を、上記揮散性物質保持体と吸気ファンの回転翼とを収容すると共に、上記吸気口および排気口を有するチャンバと、上記回転翼を駆動する、吸気ファンの駆動系を収容する駆動系収容部とに仕切る仕切板とが設けられ、上記筐体側壁における上記排気口を塞がない位置に、上記揮散性物質保持体における上記第２の揮散部に液体を供給する液体供給手段および上記液体供給手段により上記第２の揮散部に供給される液体を収容する液体収容手段を備え、上記第１の揮散部から揮散する害虫防除成分の残量を上記液体収容手段中の液体の残量で示すインジケータ手段が立設されていることを特徴としている。
【００２０】
上記の構成によれば、上記揮散性物質保持体が、吸気口と対向して通気可能に設けられた２つの揮散面を備え、上記害虫防除成分と液体とを別々の揮散面にて保持・揮散させることで、害虫防除成分の揮散が阻害されることがなく、該害虫防除成分の害虫防除能を最大限に発揮させることができる。
【００２１】
しかも、上記の構成によれば、上記チャンバ内に、上記揮散性物質保持体と回転翼とが、上記吸気口側からこの順に設けられていることで、回転翼の回転に伴って上記揮散性物質保持体における第１および第２の揮散面を通して回転翼の上面から吸気した空気を、チャンバ側壁、つまり、上記回転翼の外縁方向（周囲方向）に設けられた排気口から効率よく排出させることができる。
【００２２】
しかも、このように回転翼の上面から吸気した空気を、該回転翼の外縁方向（周囲方向）に設けられた排気口から排出させることで、乱気流を生じることなく、上記揮散性物質（揮散性成分）を含有する空気を効率よく外部に拡散させることができる。このため、高い害虫防除効果を得ることができる。
【００２３】
また、上記の構成によれば、上記駆動系が、上記チャンバの外に設けられていることで、駆動系、特に、上記回転翼と接続して設けられるモータが送風の障害となったり、該モータに、揮散した揮散性物質（揮散性成分）が付着することがなく、拡散効率をさらに高めることができる。
【００２４】
そして、この場合、特に、上記したように駆動系が、上記仕切板により仕切られた他方の室、つまり、上記チャンバ下側の駆動系収容部に収容されていることで、配線等を保護することができると共に、例えば上記駆動系を外部から見えないようにすることができ、見栄えをよくし、商品価値を向上させることができる。
【００２５】
また、上記の構成によれば、上記害虫防除剤とインジケータ機能を担うインジケータ手段とが、互いに相関性は有しているが構成としては切り離され、別々に存在していることから、終点管理並びに揮散量の制御が容易であり、上記液体の消失点と上記害虫防除剤の失効点とを任意かつ容易に設定することができる。さらに、上記の構成によれば、上記害虫防除剤中の害虫防除成分の残量（減少）を目視により把握することができる。
【００２６】
したがって、上記の構成によれば、優れた害虫防除効果が得られると共に、終点管理、制御が容易であり、しかも害虫防除剤の害虫防除成分の減少および終点を確実に確認することができる害虫防除器を提供することができる。
【００２７】
また、上記の構成によれば、例えば上記液体に、必要に応じて他の薬剤を含有させることにより、上記インジケータ手段に、インジケータとしての機能と、薬剤保持部としての２つの機能を持たせることができ、上記害虫防除成分よりも高揮散性（高揮発性）または低揮散性（高揮発性）の薬剤あるいは固体の薬剤であっても、上記害虫防除剤との複合化を図ることができる。しかも、上記の構成によれば、上記害虫防除成分と上記薬剤との薬効切れの時間を容易かつ正確に合わせることができる。このため、上記害虫防除器に、消臭作用や抗菌作用、芳香作用等、ユーザのニーズに合わせた種々の複合機能を付与することができ、また、その活性成分の失効までの有効期間も、任意に設定することができる。
【００２８】
さらに、上記の構成によれば、上記インジケータ手段が、上記した内部構成を有するチャンバ外部、より具体的には筐体側壁における、上記排気口を塞がない位置に立設されていることで、排気口から排出される揮散性物質の拡散を阻害することなく、上記揮散性物質保持体下方のスペースを効率良く使用することができ、害虫防除器の高さを抑え、コンパクトにすることができる。
【００２９】
また、本発明にかかる害虫防除器は、上記の課題を解決するために、上記排気口の側壁面が、上記回転翼の回転方向に傾斜して設けられていることを特徴としている。
【００３０】
上記の構成によれば、上記排気口から外部に放出される害虫防除成分等の揮散性物質は、上記側壁面をガイドとして上記側壁面に導かれて上記排気口から外部に放出される。このため、風力を高めることができ、拡散効力並びに害虫防除能を向上させることができる。
【００３１】
【発明の実施の形態】
本発明にかかる実施の一形態について、図１〜図５（ａ）・（ｂ）に基づいて説明すれば、以下の通りである。
図１は、本実施の形態にかかる害虫防除器の構成を示す斜視図であり、図２は、上記害虫防除器の断面の構成を模式的に示す断面斜視図である。また、図３は、上記害虫防除器の構成を一部分解して示す分解斜視図であり、図４は、上記害虫防除器の蓋体内部に収容される吸気ファンの構成を示す分解斜視図である。また、図５（ａ）は、上記吸気ファンの構成を、該吸気ファンを回転翼受皿に取り付けた状態にて示す側面図であり、図５（ｂ）は、図５（ａ）のＡ−Ａ線矢視断面図である。
【００３２】
本実施の形態にかかる害虫防除器は、図１および図２に示すように、害虫防除器本体１と、インジケータ部２（インジケータ手段）とを備えた構成を有している。
【００３３】
上記害虫防除器本体１は、図１〜３に示すように、吸気口１１ａおよび排気口１１ｂを有する中空形状の筐体１１と、第１および第２の揮散部を有する揮散性物質保持体２１と、吸気ファン３１と、筐体１１内を仕切る仕切板として機能する回転翼受皿４１（回転翼収容部）とを備えている。
【００３４】
上記回転翼受皿４１は、上記筐体１１内を、上記揮散性物質保持体２１と吸気ファン３１の回転翼３２とを収容すると共に上記吸気口１１ａおよび排気口１１ｂを有するチャンバ１２と、上記吸気ファン３１の回転翼３２を駆動する駆動系３３を収容する駆動系収容部１３とに仕切るようになっている。
【００３５】
これにより、上記害虫防除器本体１は、上記筐体１１内部に、該筐体１１の天壁側、すなわち、吸気口１１ａ側から、上記揮散性物質保持体２１、回転翼３２、回転翼受皿４１、駆動系３３が、この順に設けられた構成を有している。
【００３６】
上記筐体１１は、平面視が、対向する二辺が平行に形成され、残る二辺が略円弧状に形成された、湾曲された略四角形状の筒状容器であり、図３に示すように、底板１４ａの周縁部に周壁１４ｂが立設され、その上端面１４ｃに吸気のための開口部１５を有する中空形状の筐体本体１４と、該筐体本体１４の開口部１５を覆う蓋部１６とが一体的に係合（固定）された構造を有している。
【００３７】
上記蓋部１６は、天板１６ａから垂設された側壁１６ｂを、円弧状に形成された一辺を除く三辺（三方）に備え、上記筐体本体１４と係合された状態において、該筐体本体１４の上端面１４ｃと天板１６ａとの間に、上記揮散性物質保持体２１を嵌脱自在に保持する空間部を形成している。
【００３８】
上記天板１６ａから垂設された側壁１６ｂは、上記揮散性物質保持体２１が嵌合する高さを有し、図１に示すように、上記蓋部１６を上記筐体本体１４と係合することによって形成される開口部１７から上記揮散性物質保持体２１をスライド挿入することで、筐体本体１４の上端面１４ｃと天板１６ａとの間に形成される空間部に上記揮散性物質保持体２１を嵌着することができるようになっている。図３に示すように、上記筐体本体１４の上端面１４ｃには、開口部１５の周囲に、上記揮散性物質保持体２１の受台としての窪部１８が設けられ、上記揮散性物質保持体２１は、この窪部１８に係合されるようになっている。
【００３９】
また、上記蓋部１６における天板１６ａには、吸気口１１ａとして用いられる貫通孔（通気口）が、上記開口部１５に対向して形成されている。これにより、上記揮散性物質保持体２１は、第１および第２の揮散部が上記吸気口１１ａと対向配置されている。上記吸気口１１ａは、回転翼３２が誤って手指に触れないように該吸気口１１ａに仕切り１１ｃが設けられ、これにより、例えば複数の細孔１１ｄが放射線状に形成されてなる構成を有している。
【００４０】
一方、上記筐体本体１４内部には、図２〜図５（ａ）・（ｂ）に示すように、上記筐体本体１４を上下に区画するように上記開口部１５に嵌着され、その上面が上記開口部１５により開放された回転翼受皿４１と、吸気ファン３１とが配されている。
【００４１】
上記回転翼受皿４１には、図５（ａ）・（ｂ）に示すように上記吸気ファン３１の回転翼３２が収容されている。これにより、上記回転翼３２は、上記揮散性物質保持体２１における第１および第２の揮散部に対向配置されている。これにより、上記吸気ファン３１は、上記揮散性物質保持体２１を介して上記吸気口１１ａと対向して設けられ、上記吸気口１１ａから、上記揮散性物質保持体２１における第１および第２の揮散部を通して吸気するようになっている。上記吸気ファン３１は、上記揮散性物質保持体２１における第１および第２の揮散部全体に均等に通気（通風）を行うことができるようになっている。なお、上記揮散性物質保持体２１については後で詳述する。
【００４２】
上記回転翼受皿４１は、上記筐体本体１４を上下に区画する仕切板としての底壁４１ａの周縁部に沿って上記回転翼３２の周囲に周壁４１ｂが立設された構成を有している。上記周壁４１ｂには、筐体本体１４外部に向かって開口された切抜窓（貫通孔）が排気口１１ｂとして設けられている。
【００４３】
これにより、上記回転翼受皿４１は、その底壁４１ａを底壁とし、蓋部１６の天板１６ａを天壁とし、該天板１６ａと底壁４１ａとの間に形成された、側壁１６ｂ内壁および周壁４１ｂを内側壁とし、側壁１６ｂ外壁および周壁１４ｂを外側壁とする側壁を有し、天壁に吸気口１１ａを備え、側壁に排気口１１ｂが設けられたチャンバ１２（室）を形成するようになっている。
【００４４】
また、回転翼受皿４１の下方、すなわち、上記筐体本体１４内における上記チャンバ１２外部には、上記回転翼３２を回転駆動するモータ３３ａ等の駆動系３３が設けられている。上記筐体本体１４内において上記回転翼受皿４１により仕切られた、上記回転翼受皿４１の底壁４１ａを天壁とし、筐体本体１４の底板１４ａを底壁とし、周壁１４ｂを側壁とする他方の室、すなわち、上記筐体本体１４内部における上記回転翼受皿４１よりも下方の空間は、上記回転翼３２を回転駆動するモータ３３ａ並びに該モータ３３ａを駆動するための図示しない電池等の電源を収容する駆動系収容部１３として用いられている。
【００４５】
上記回転翼受皿４１の底壁４１ａには、貫通孔４２が設けられ、上記回転翼３２は、上記貫通孔４２を介して底壁４１ａを貫く支持軸４３により、上記モータ３３ａと接続されている。
【００４６】
なお、上記モータ３３ａは、図示しないモータ受台により、筐体本体１４の底板１４ａに固定されている。また、上記筐体本体１４における周壁１４ｂの外周面には、電源をＯＮ／ＯＦＦするスイッチ１９が設けられている。
【００４７】
上記回転翼３２は、回転中心に円板３２ａを備え、該円板３２ａの周囲に、複数の螺旋翼３２ｂがうず巻き状に形成された構成を有している。上記吸気ファン３１は、上記筐体本体１４における周壁１４ｂの外周面に設けられたスイッチ１９をＯＮし、駆動系３３を作動させて上記回転翼３２を回転駆動させることで、チャンバ１２の天壁、すなわち、筐体１１の天壁に設けられた吸気口１１ａから揮散性物質保持体２１の第１および第２の揮散部を介して空気を吸込み、それを遠心力により、回転翼３２周縁から四方に噴出し、排気口１１ｂから筐体１１外部に排気するようになっている。
【００４８】
このように、上記害虫防除器は、上記揮散性物質保持体２１に揮散可能に保持された害虫防除成分等の揮散性物質（揮散性成分）の揮散を、加熱等の手段によらず送風機構のみで行うようになっており、上記回転翼３２の回転により生じる空気流により、上記揮散性物質保持体２１から害虫防除成分等の揮散性物質（揮散性成分）を揮散させて排気口１１ｂから外部に放出する。
【００４９】
本発明によれば、このように送風機構による揮散性物質（揮散性成分）の揮散を行う害虫防除器において、上記筐体１１内部に、上記筐体１１内を、上記揮散性物質保持体２１と回転翼３２とを収容すると共に上記吸気口１１ａおよび排気口１１ｂを有するチャンバ１２と、駆動系収容部１３とに仕切る仕切板としての回転翼受皿４１（底壁４１ａ）が設けられ、上記チャンバ１２内に、上記揮散性物質保持体２１と回転翼３２とが、上記吸気口１１ａ側からこの順に設けられていることで、回転翼３２の回転に伴って上記揮散性物質保持体２１における第１および第２の揮散部を通して回転翼３２の上面から吸気した空気を、上記回転翼３２の外縁方向（周囲方向）に設けられた排気口１１ｂから効率よく排出させることができる。
【００５０】
しかも、このように回転翼３２の上面から吸気した空気を、該回転翼３２の横方向、つまり、上記回転翼３２の外縁方向（周囲方向）、好適には、上記回転翼３２を通って直交する横方向に設けられた排気口１１ｂから排出させることで、乱気流を生じることなく、上記揮散性物質（揮散性成分）を含有する空気を効率よく外部に拡散させることができる。このため、高い害虫防除効果を得ることができる。
【００５１】
また、上記の構成によれば、駆動系３３が、上記チャンバ１２の外に設けられていることで、駆動系３３、特に、上記回転翼３２と接続して設けられるモータ３３ａが送風の障害となったり、該モータ３３ａに、揮散した揮散性物質（揮散性成分）が付着することがなく、拡散効率をさらに高めることができる。
【００５２】
そして、この場合、特に、上記したように駆動系３３が、筐体１１内を仕切る上記回転翼受皿４１（底壁４１ａ）の下側の室に設けられることで、配線等を保護することができると共に、例えば駆動系３３を外部から見えないようにすることができ、見栄えをよくし、商品価値を向上させることができる。
【００５３】
また、上記排気口１１ｂは、図５（ａ）・（ｂ）に示すように、その側壁面１１ｃ、つまり、上記周壁４１ｂから周壁１４ｂに貫通して設けられた貫通孔内壁が、上記回転翼３２の回転方向に傾斜して設けられている構成を有している。風は、壁に沿って進むため、排気口１１ｂから外部に放出される害虫防除成分等の揮散性物質は、上記排気口１１ｂの側壁面１１ｃをガイドとして上記側壁面１１ｃに導かれて上記排気口１１ｂから外部に放出される。このため、風力を高めることができ、拡散効力並びに害虫防除能を向上させることができる。また、仕切板上面に相当する、回転翼受皿４１の底壁４１ａと、回転翼３２下面、つまり、回転翼３２における上記底壁４１ａとの対向面との距離を近づけることにより、乱気流を発生させることなく風力を高めることができる。
【００５４】
上記筐体本体１４の周壁１４ｂには、図１および図３に示すように、回転翼３２が誤って手指に触れないように、上記排気口１１ｂの出口に、仕切り１１ｄが設けられている。該仕切り１１ｄの形状は特に限定されるものではない。なお、上記排気口１１ｂには、仕切り１１ｄを兼ねて、外方に突出するルーバが設けられていてもよい。また、非使用時における上記揮散性物質の拡散を防止し、使用を中断することができるように、上記吸気口１１ａおよび排気口１１ｂを、開閉自在に形成してもよい。
【００５５】
また、上記排気口１１ｂの形状並びに個数は、特に限定されるものではないが、上記揮散性物質を十分かつ効率良く拡散させるためには、少なくとも２方向に形成することが好ましく、４方向に形成することがより好ましい。
【００５６】
上記筐体１１の成形方法としては、特に限定されるものではなく、例えば射出成形等、従来公知の種々の方法により製造することができる。
【００５７】
ここで、本実施の形態にかかる害虫防除器に用いられる揮散性物質保持体２１について、図１〜３に基づいて以下に説明する。
【００５８】
本実施の形態にかかる害虫防除器に用いられる揮散性物質保持体２１は、吸気口１１ａ、開口部１５、並びに回転翼３２とほぼ同じ直径を有する円形の揮散部を有している。
【００５９】
上記揮散性物質保持体２１は、例えば、通気可能に設けられた揮散性物質保持材２２を、上枠２３ａおよび下枠２３ｂからなる、枠内が開口された一対の枠２３（フレーム）で挟持した構成を有している。これにより、上記揮散性物質保持体２１は、常温揮散性の揮散性物質を揮散可能に保持することができるようになっている。
【００６０】
上記揮散性物質保持材２２は、分離して形成された２つの揮散性物質保持材２２ａ・２２ｂからなり、上記上枠２３ａおよび下枠２３ｂには、上記揮散性物質保持材２２ａ・２２ｂを、非接触状態にて分離する仕切板（分離帯）としての突出部２４が、上記揮散性物質保持材２２表面、すなわち、上記揮散性物質保持体２１における揮散面に対してそれぞれ垂直に立設して設けられている。
【００６１】
上記揮散性物質保持材２２のうち、揮散性物質保持材２２ａは、殺虫成分あるいは害虫忌避成分等の常温揮散性の害虫防除成分を有効成分（活性成分）とする害虫防除剤を、該害虫防除成分を大気中に揮散可能に保持するようになっている。上記揮散性物質保持材２２ａは、害虫防除剤保持部（第１の揮散部）として、予め、常温揮散性の害虫防除剤が保持（付着）された状態で用いられる。
【００６２】
一方、揮散性物質保持材２２ｂは、液体保持部（第２の揮散部）として用いられ、インジケータ部２のボトル５１（液体収容手段）への引出部、つまり、外部への引出部となる突出部２５ａを備え、該突出部２５ａを介してインジケータ部２のボトル５１から常温揮散性の液体５２（図１および図２参照）が、該揮散性物質保持材２２ｂの揮散部に絶えず供給されるようになっている。該突出部２５ａは、上記上枠２３ａおよび下枠２３ｂに設けられた、揮散性保持部から延びる支持用把手部２３ｃ・２３ｄにより支持されている。
【００６３】
このように第１の揮散部としての害虫防除剤保持部（害虫防除成分揮散部）と第２の揮散部としての液体保持部（液体揮散部）とが互いに非接触に設けられていることで、害虫防除成分の揮散が阻害されることがなく、該害虫防除成分の害虫防除能を最大限に発揮させることができる。
【００６４】
上記害虫防除剤保持部に用いられる揮散性物質保持材２２ａとしては、例えば、紙、不織布、布、スポンジ、パルプ、樹脂フィルム、セラミック、多孔質樹脂（発泡ポリプロピレン、発泡ウレタン等）、合成繊維（ナイロン、ポリエステル、ポリプロピレン、ポリエチレン等）、天然繊維（羊毛、絹、綿、麻等）、無機繊維（グラスファイバー等）、無機質成型物およびこれらの成型品等を使用することができ、通気可能な材質からなるかあるいは通気可能な構造（形状）をとり得る材料からなるものであれば、特に限定されるものではない。また、シート状担体を、必要に応じて、適宜、折り畳んだり、その一部分を貼り合わせたり、ハニカム状に加工したり、あるいは、その表面に凹凸を設けたりするなどして、担体の体積に対する表面積の拡大を図ることもできる。
【００６５】
上記害虫防除剤保持部は、体積当たりの表面積が大きいことが好ましい。また、上記害虫防除剤保持部は、通気性が大きいことが好ましい。このため、上記害虫防除剤保持部に用いられる揮散性物質保持材２２ａとしては、例えば、ネット状、ハニカム状の素材が好適に用いられる。また、シート状等の素材を、必要に応じて、適宜、折り畳んだり、その一部分を貼り合わせたり、あるいは、その表面に凹凸を設けたりするなどして、担体の体積、つまり、保持（担持）する害虫防除剤に対する表面積の拡大を図ることが好ましい。また、例えば、ネット状もしくはハニカム状の素材を積み重ねたり、必要に応じて、適宜、折り畳んだり、その一部分を貼り合わせたりして、液体保持部に用いられる揮散性物質保持材２２ｂの体積に対する表面積の拡大を図ることも好ましい。
【００６６】
上記害虫防除剤（害虫防除成分）としては、害虫防除活性を有し、常温で揮散し得る化合物であれば、特に限定されるものではないが、害虫防除活性、揮散性の観点から、ピレスロイド系化合物が好ましい。
【００６７】
ピレスロイド系化合物とは、天然のピレトリンあるいは天然のピレトリンの構造を最適化して得られた、より活性で持続性のある合成ピレスロイドからなる殺虫剤である。
【００６８】
本発明において用いられるピレスロイド系化合物としては、特に限定されるものではないが、具体的には、例えば、２−メチル−３−アリル−４−オキソ−２−シクロペンテン−１−イル−３−（２−メチル−１−プロペニル）−２，２−ジメチルシクロプロパンカルボキシラート、２−メチル−３−プロパルギル−４−オキソ−２−シクロペンテン−１−イル−３−（２−メチル−１−プロペニル）−２，２−ジメチルシクロプロパンカルボキシラート、５−プロパルギル−２−フルフリル−３−（２−メチル−１−プロペニル）−２，２−ジメチルシクロプロパンカルボキシラート、５−プロパルギル−２−フルフリル−２，２，３，３−テトラメチルシクロプロパンカルボキシラート、１−エチニル−２−メチル−２−ペンテニル−３−（２−メチル−１−プロペニル）−２，２−ジメチルシクロプロパンカルボキシラート、１−エチニル−２−メチル−２−ペンテニル−３−（２−クロロ−２−フルオロビニル）−２，２−ジメチルシクロプロパン−１−カルボキシラート、２，３，５，６−テトラフルオロ−４−メチルベンジル−３−（２−メチル−１−プロペニル）−２，２−ジメチルシクロプロパンカルボキシラート、２，３，５，６−テトラフルオロ−４−メチルベンジル−３−（２−クロロ）−２−フルルシクロプロパンカルボキシラート、２，３，５，６−テトラフルオロベンジル−３−（２，２−ジクロロビニル）−２，２−ジメチルシクロプロパンカルボキシラート、２，３，５，６−テトラフルオロ−４−メチルベンジル−３−（１−プロペニル）−２，２−ジメチルシクロプロパンカルボキシラート、２，３，５，６−テトラフルオロ−４−メチルベンジル−３−（２，２−ジクロロビニル）−２，２−ジメチルシクロプロパンカルボキシラート、２，３，５，６−テトラフルオロ−４−メトキシベンジル−３−（２，２−ジクロロビニル）−２，２−ジメチルシクロプロパンカルボキシラート、２，３，５，６−テトラフルオロ−４−メトキシベンジル−３−メトキシイミノメチル−２，２−ジメチルシクロプロパンカルボキシラート、２，３，５，６−テトラフルオロ−４−メトキシメチルベンジル−３−（２−メチル−１−プロペニル）−２，２−ジメチルシクロプロパンカルボキシラート、２−メチル−４−オキソ−３−（２−プロピニル）−シクロペント−２−エニル−３−（２、２−ジクロロビニル）−２、２−ジメチルシクロプロパンカルボキシラート、２，３，５，６−テトラフルオロ−４−メトキシメチルベンジル−３−（１−プロペニル）−２，２−ジメチルシクロプロパンカルボキシラート、２−メチル−３−アリル−４−オキソ−２−シクロペンテン−１−イル−２，２，３，３−テトラメチルシクロプロパンカルボキシラート、天然ピレトリン等が挙げられる。上記化合物は、一種類のみを用いてもよく、二種類以上を混合して用いてもよい。
【００６９】
さらに、その害虫防除活性、揮散性の観点から、２，３，５，６−テトラフルオロ−４−メトキシメチルベンジル−３−（１−プロペニル）−２，２−ジメチルシクロプロパンカルボキシラート、２，３，５，６−テトラフルオロ−４−メチルベンジル−３−（１−プロペニル）−２，２−ジメチルシクロプロパンカルボキシラート、２，３，５，６−テトラフルオロベンジル−３−（２，２−ジクロルエテニル）−２，２−ジメチルシクロプロパンカルボキシラートからなる群より選ばれる少なくとも一種が好ましく、その害虫防除活性、揮散性の観点から、２，３，５，６−テトラフルオロ−４−メトキシメチルベンジル−３−（１−プロペニル）−２，２−ジメチルシクロプロパンカルボキシラート、２，３，５，６−テトラフルオロ−４−メチルベンジル−３−（１−プロペニル）−２，２−ジメチルシクロプロパンカルボキシラートからなる群より選ばれる少なくとも一種がより好ましい。
【００７０】
上記２，３，５，６−テトラフルオロ−４−メトキシメチルベンジル−３−（１−プロペニル）−２，２−ジメチルシクロプロパンカルボキシラートおよび２，３，５，６−テトラフルオロ−４−メチルベンジル−３−（１−プロペニル）−２，２−ジメチルシクロプロパンカルボキシラートは、害虫防除活性成分として、特開平１２−６３３２９号公報に記載の化合物であり、該公報に記載の方法に準じて製造することができる。
【００７１】
また、上記害虫防除剤は、上記した害虫防除成分以外に、例えばフェノール系酸化防止剤、イオウ系酸化防止剤、リン系酸化防止剤、紫外線吸収剤、光安定剤等の添加剤を含んでいても構わない。
【００７２】
フェノール系酸化防止剤としては、例えば、２，６−ジ−ｔ−ブチル−４−メチルフェノール、２，４，６−トリ−ｔ−ブチルフェノール、２，６−ジ−ｔ−ブチルフェノール、２−ｔ−ブチル−４，６−ジメチルフェノール、２，６−ジ−ｔ−ブチル−４−エチルフェノール、２，６−ジ−ｔ−ブチル−４−ｎ−ブチルフェノール、２，６−ジ−ｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔ−ブチル−４−メトキシメチルフェノール、２，６−ジ−ノニル−４−メチルフェノール、２，４−ジメチル−６−（１’−メチルウンデシル−１’−イル）フェノール、２，４−ジメチル−６−（１’−メチルヘプタデシル−１’−イル）フェノール、２，４−ジメチル−６−（１’−メチルトリデシル−１’−イル）フェノール、およびそれらの混合物等のアルキル化モノフェノール；
２，４−ジオクチルチオメチル−６−ｔ−ブチルフェノール、２，４−ジオクチルチオメチル−６−メチルフェノール、２，４−ジオクチルチオメチル−６−エチルフェノール、２，６−ジドデシルチオメチル−４−ノニルフェノール、およびそれらの混合物等のアルキルチオメチルフェノール；
２，６−ジ−ｔ−ブチル−４−メトキシフェノール、２，５−ジ−ｔ−ブチルヒドロキノン、２，５−ジ−ｔ−アミルヒドロキノン、２，６−ジフェニル−４−オクタデシルオキシフェノール、２，６−ジ−ｔ−ブチルヒドロキノン、２，５−ジ−ｔ−ブチル−４−ヒドロキシアニソール、３，５−ジ−ｔ−ブチル−４−ヒドロキシフェニルステアレート、ビス（３，５−ジ−ｔ−ブチル−４−ヒドロキシフェニル）アジペート、およびそれらの混合物等の、ヒドロキノンおよびアルキル化ヒドロキノン；
α−トコフェロール、β−トコフェロール、γ−トコフェロール、δ−トコフェロール、およびそれらの混合物等のトコフェロール類；
２，２’−チオビス（６−ｔ−ブチルフェノール）、２，２’−チオビス（４−メチル−６−ｔ−ブチルフェノール）、２，２’−チオビス（４−オクチルフェノール）、４，４’−チオビス（３−メチル−６−ｔ−ブチルフェノール）、４，４’−チオビス（２−メチル−６−ｔ−ブチルフェノール）、４，４’−チオビス（３，６−ジ−ｔ−アミルフェノール）、４，４’−（２，６−ジメチル−４−ヒドロキシフェニル）ジスルフィド等のヒドロキシル化チオジフェニルエーテル；
２，２’−メチレンビス（４−メチル−６−ｔ−ブチルフェノール）、２，２’−メチレンビス（４−エチル−６−ｔ−ブチルフェノール）、２，２’−メチレンビス［４−メチル−６−（α−メチルシクロヘキシル）フェノール）] 、２，２’−メチレンビス（４−メチル−６−シクロヘキシルフェノール）、２，２’−メチレンビス（４−メチル−６−ノニルフェノール）、２，２’−メチレンビス（４，６−ジ−ｔ−ブチルフェノール）、２，２’−エチリデンビス（４，６−ジ−ｔ−ブチルフェノール）、２，２’−エチリデンビス（４−イソブチル−６−ｔ−ブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（６−ｔ−ブチル−２−メチルフェノール）、４，４’−メチレンビス（２，６−ジ−ｔ−ブチルフェノール）、４，４’−ブチリデンビス（３−メチル−６−ｔ−ブチルフェノール）、１，１−ビス（４−ヒドロキシフェニル）シクロヘキサン、１，１−ビス（５−ｔ−ブチル−４−ヒドロキシ−２−メチルフェニル）ブタン、２，６−ビス（３−ｔ−ブチル−５−メチル−２−ヒドロキシベンジル）−４−メチルフェノール、１，１，３−トリス（５−ｔ−ブチル−４−ヒドロキシ−２−メチルフェニル）ブタン、１，１−ビス（５−ｔ−ブチル−４−ヒドロキシ−２−メチルフェニル）−３−ｎ−ドデシルメルカプトブタン、エチレングリコールビス［３，３−ビス−３’−ｔ−ブチル−４’−ヒドロキシフェニル）ブチレート］、ビス（３−ｔ−ブチル−４−ヒドロキシ−５−メチルフェニル）ジシクロペンタジエン、ビス［２−（３’−ｔ−ブチル−２’−ヒドロキシ−５’−メチルベンジル）−６−ｔ−ブチル−４−メチルフェニル］テレフタレート、１，１−ビス（３，５−ジメチル−２−ヒドロキシフェニル）ブタン、２，２−ビス（３，５−ジ−ｔ−ブチル−４−ヒドロキシフェニル）プロパン、２，２−ビス（５−ｔ−ブチル−４−ヒドロキシ−２−メチルフェニル）−４−ｎ−ドデシルメルカプトブタン、１，１，５，５−テトラ（５−ｔ−ブチル−４−ヒドロキシ−２−メチルフェニル）ペンタン、２−ｔ−ブチル−６−（３’−ｔ−ブチル−５’−メチル−２’−ヒドロキシベンジル）−４−メチルフェニルアクリレート、２，４−ジ−ｔ−ペンチル−６−［１−（２−ヒドロキシ−３，５−ジ−ｔ−ペンチルフェニル）エチル］フェニルアクリレート、およびそれらの混合物等のアルキリデンビスフェノールおよびその誘導体；
３，５，３’，５’−テトラ−ｔ−ブチル−４，４’−ジヒドロキシジベンジルエーテル、オクタデシル−４−ヒドロキシ−３，５−ジメチルベンジルメルカプトアセテート、トリス（３，５−ジ−ｔ−ブチル−４−ヒドロキシベンジル）アミン、ビス（４−ｔ−ブチル−３−ヒドロキシ−２，６−ジメチルベンジル）ジチオテレフタレート、ビス（３，５−ジ−ｔ−ブチル−４−ヒドロキシベンジル）スルフィド、イソオクチル−３，５−ジ−ｔ−ブチル−４−ヒドロキシベンジルメルカプトアセテート、およびそれらの混合物等の、Ｏ−ベンジル誘導体、Ｎ−ベンジル誘導体およびＳ−ベンジル誘導体、
ジオクタデシル−２，２−ビス（３，５−ジ−ｔ−ブチル−２−ヒドロキシベンジル）マロネート、ジオクタデシル−２−（３−ｔ−ブチル−４−ヒドロキシ−５−メチルベンジル）マロネート、ジドデシルメルカプトエチル−２，２−ビス（３，５−ジ−ｔ−ブチル−４−ヒドロキシベンジル）マロネート、ビス［４−（１，１，３，３−テトラメチルブチル）フェニル］−２，２−ビス（３，５−ジ−ｔ−ブチル−４−ヒドロキシベンジル）マロネート、およびそれらの混合物等のヒドロキシベンジル化マロネート誘導体；
１，３，５−トリメチル−２，４，６−トリス（３，５−ジ−ｔ−ブチル−４−ヒドロキシベンジル）ベンゼン、１，４−ビス（３，５−ジ−ｔ−ブチル−４−ヒドロキシベンジル）−２，３，５，６−テトラメチルベンゼン、２，４，６−トリス（３，５−ｔ−ブチル−４−ヒドロキシベンジル）フェノール、およびそれらの混合物等の芳香族ヒドロキシベンジル誘導体；
２，４−ビス（ｎ−オクチルチオ）−６−（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルアニリノ）−１，３，５−トリアジン、２−ｎ−オクチルチオ−４，６−ビス（４−ヒドロキシ−３，５−ジ−ｔ−ブチルフェノキシ）−１，３，５−トリアジン、２，４，６−トリス（３，５−ジ−ｔ−ブチル−４−フェノキシ）−１，３，５−トリアジン、トリス（４−ｔ−ブチル−３−ヒドロキシ−２，６−ジメチルベンジル）イソシアヌレート、トリス（３，５−ジ−ｔ−ブチル−４−ヒドロキシベンジル）イソシアヌレート、２，４，６−トリス（３，５−ジ−ｔ−ブチル−４−ヒドロキシフェニルエチル）−１，３，５−トリアジン、２，４，６−トリス（３，５−ジ−ｔ−ブチル−４−ヒドロキシフェニルプロピル）−１，３，５−トリアジン、トリス（３，５−ジシクロヘキシル−４−ヒドロキシベンジル）イソシアヌレート、トリス［２−（３’，５’−ジ−ｔ−ブチル−４’−ヒドロキシシンナモイルオキシ）エチル] イソシアヌレート、およびそれらの混合物等のトリアジン誘導体；
ジメチル−３，５−ジ−ｔ−ブチル−４−ヒドロキシベンジルホスホネート、ジエチル−３，５−ジ−ｔ−ブチル−４−ヒドロキシベンジルホスホネート、ジオクタデシル−３，５−ジ−ｔ−ブチル−４−ヒドロキシベンジルホスホネ一ト、ジオクタデシル−５−ｔ−ブチル−４−ヒドロキシ−３−メチルベンジルホスホネート、３，５−ジ−ｔ−ブチル−４−ヒドロキシベンジルホスホン酸モノエステルのカルシウム塩、およびそれらの混合物等のベンジルホスホネート誘導体；４−ヒドロキシラウリル酸アニリド、４−ヒドロキシステアリン酸アニリド、オクチル−Ｎ−（３，５−ジ−ｔ−ブチル−４−ヒドロキシフェニル）カルバネート、およびそれらの混合物等のアシルアミノフェノール誘導体；
β−（３，５−ジ−ｔ−ブチル−４−ヒドロキシフェニル）プロピオン酸と、メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２］オクタン、およびそれらの混合物等の一価アルコールまたは多価アルコールとのエステル；
β−（５−ｔ−ブチル−４−ヒドロキシ−３−メチルフェニル）プロピオン酸と、メタノール、エタノール、オクタノール、オクタデカノール、エチレングリコール、１，３−ブロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２，２，２] オクタン、およびそれらの混合物等の一価アルコールまたは多価アルコールとのエステル；
β−（３，５−ジシクロヘキシル−４−ヒドロキシフェニル）プロピオン酸と、メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ[ ２，２，２］オクタン、およびそれらの混合物等の一価アルコールまたは多価アルコールとのエステル；
３，５−ジ−ｔ−ブチル−４−ヒドロキシフェニル酢酸と、メタノール、エタノール、オクタノール、オクタデカノール、エチレングリコール、１，３−プロパンジオール、１，４−ブタンジオール、１，６−ヘキサンジオール、１，９−ノナンジオール、ネオペンチルグリコール、ジエチレングリコール、チオエチレングリコール、スピログリコール、トリエチレングリコール、ペンタエリスリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ[ ２，２．２] オクタン、およびそれらの混合物等の一価アルコールまたは多価アルコールとのエステル；
Ｎ，Ｎ’−ビス[ ３−（３’，５’−ジ−ｔ−ブチル−４’−ヒドロキシフェニル）プロピオニル] ヒドラジン、Ｎ，Ｎ’−ビス［３−（３’，５’−ジ−ｔ−ブチル−４−ヒドロキシフェニル）プロピオニル］ヘキサメチレンジアミン、Ｎ，Ｎ’−ビス[ ３−（３’，５’−ジ−ｔ−ブチル−４’−ヒドロキシフェニル）プロピオニル］トリメチレンジアミン、およびそれらの混合物等の、β−（３，５−ジ−ｔ−ブチル−４−ヒドロキシフェニル）プロピオン酸のアミド等が挙げられる。これらフェノール系酸化防止剤はそれぞれ単独で用いてもよいし、２種以上を適宜混合して用いてもよい。
【００７３】
イオウ系酸化防止剤としては、例えば、ジラウリル−３，３’−チオジプロピオネート、トリデシル−３，３’−チオジプロピオネート、ジミリスチル−３，３’−チオジプロピオネート、ジステアリル−３，３’−チオジプロピオネート、ラウリルステアリル−３，３’−チオジプロピオネート、ネオペンタンテトライルテトラキス（３−ラウリルチオプロピオネート）等が挙げられる。これらイオウ系酸化防止剤はそれぞれ単独で用いてもよいし、２種以上を適宜混合して用いてもよい。
【００７４】
リン系酸化防止剤としては、例えばトリフェニルホスファイト、トリス（ノニルフェニル）ホスファイト、トリス（２，４−ジ−ｔ−ブチルフェニル）ホスファイト、トリラウリルホスファイト、トリオクタデシルホスファイト、ジステアリルペンタエリスリトールジホスファイト、ジイソデシルペンタエリスリトールジホスファイト、ビス（２，４−ジ−ｔ−ブチルフェニル）ペンタエリスリトールジホスファイト、ビス（２，４−ジ−ｔ−ブチル−６−メチルフェニル）ペンタエリスリトールジホスファイト、ビス（２，６−ジ−ｔ−ブチル−４−メチルフェニル）ペンタエリスリトールジホスファイト、ビス（２，４，６−トリ−ｔ−ブチルフェニル）ペンタエリスリトールジホスファイト、トリステアリルソルビトールトリホスファイト、テトラキス（２，４−ジ−ｔ−ブチルフェニル）−４，４’−ジフェニレンジホスホナイト、２，２’−メチレンビス（４，６−ジ−ｔ−ブチルフェニル）２−エチルヘキシルホスファイト、２，２’−エチリデンビス（４，６−ジ−ｔ−ブチルフェニル）フルオロホスファイト、ビス（２，４−ジ−ｔ−ブチル−６−メチルフェニル）エチルホスファイト、ビス（２，４−ジ−ｔ−ブチル−６−メチルフェニル）メチルホスファイト、２−（２，４，６−トリ−ｔ−ブチルフェニル）−５−エチル−５−ブチル−１，３，２−オキサホスホリナン、２，２’，２”−ニトリロ[ トリエチル−トリス（３，３’，５，５’−テトラ−ｔ−ブチル−１，１’−ビフェニル−２，２’−ジイル）ホスファイト，およびそれらの混合物等が挙げられる。これらリン系酸化防止剤はそれぞれ単独で用いてもよいし、２種以上を適宜混合して用いてもよい。
【００７５】
紫外線吸収剤としては、例えば、フェニルサリシレート、４−ｔ−ブチルフェニルサリシレート、２，４−ジ−ｔ−ブチルフェニル−３’，５’−ジ−ｔ−ブチル−４’−ヒドロキシベンゾエート、４−ｔ−オクチルフェニルサリシレート、ビス（４−ｔ−ブチルベンゾイル）レゾルシノール、ベンゾイルレゾルシノール、ヘシサデシル−３’，５’−ジ−ｔ−ブチル−４’−ヒドロキシベンゾエート、オクタデシル−３’，５’−ジ−ｔ−ブチル−４’−ヒドロキシベンゾエート、２−メチル−４，６−ジ−ｔ−ブチルフェニル−３’，５’−ジ−ｔ−ブチル−４’−ヒドロキシベンゾエート、およびそれらの混合物等のサリシレート誘導体；
２，４−ジヒドロキシベンゾフェノン、２−ヒドロキシ−４−メトキシベンゾフェノン、２−ヒドロキシ−４−オクトキシベンゾフェノン、２，２’−ジヒドロキシ−４−メトキシベンゾフェノン、ビス（５−ベンゾイル−４−ヒドロキシ−２−メトキシフェニル）メタン、２，２’，４，４’−テトラヒドロキシベンゾフェノン、およびそれらの混合物等の２−ヒドロキシベンゾフェノン誘導体；
２−（２−ヒドロキシ−５−メチルフェニル）ベンゾトリアゾール、２−（３’，５’−ジ−ｔ−ブチル−２’−ヒドロキシフェニル）ベンゾトリアゾール、２−（５’−ｔ−ブチル−２’−ヒドロキシフェニル）ベンゾトリアゾール、２−（２’−ヒドロキシ−５’−ｔ−オクチルフェニル）ベンゾトリアゾール、２−（３−ｔ−ブチル−２−ヒドロキシ−５−メチルフェニル）−５−クロロベンゾトリアゾール、２−（３’−ｓ−ブチル−２’−ヒドロキシ−５’−ｔ−ブチルフェニル）ベンゾトリアゾール、２−（２’−ヒドロキシ−４’−オクチルオキシフェニル）ベンゾトリアゾール、２−（３’，５’−ジ−ｔ−アミル−２’−ヒドロキシフェニル）ベンゾトリアゾール、２−［２’−ヒドロキシ−３’，５’−ビス（α，α−ジメチルベンジル）フェニル］−２Ｈ−ベンゾトリアゾール、２−［（３’−ｔ−ブチル−２’−ヒドロキシフェニル）−５’−（２−オクチルオキシカルボニルエチル）フェニル］−５−クロロベンゾトリアゾール、２−［３’−ｔ−ブチル−５’−［２−（２−エチルヘキシルオキシ）カルボニルエチル］−２’−ヒドロキシフェニル］−５−クロロベンゾトリアゾール、２−［３’−ｔ−ブチル−２’−ヒドロキシ−５’−（２−メトキシカルボニルエチル）フェニル］−５−クロロベンゾトリアゾール、２−［３’−ｔ−ブチル−２’−ヒドロキシ−５−（２−メトキシカルボニルエチル）フェニル］ベンゾトリアゾール、２−［３’−ｔ−ブチル−２’−ヒドロキシ−５’−（２−オクチルオキシカルボニルエチル）フェニル］ベンゾトリアゾール、２−［３’−ｔ−ブチル−２’−ヒドロキシ−５’−［２−（２−エチルヘキシルオキシ）カルボニルエチル] フェニル］ベンゾトリアゾール、２−［２−ヒドロキシ−３−（３，４，５，６−テトラヒドロフタルイミドメチル）−５−メチルフェニル］ベンゾトリアゾール、２−（３，５−ジ−ｔ−ブチル−２−ヒドロキシフェニル）−５−クロロベンゾトリアゾール、２−（３’−ドデシル−２’−ヒドロキシ−５’−メチルフェニル）ベンゾトリアゾールおよび２−［３’−ｔ−ブチル−２’−ヒドロキシ−５’−（２−イソオクチルオキシカルボニルエチル）フェニル］ベンゾトリアゾールの混合物、２，２’−メチレンビス［６−（２Ｈ−ベンゾトリアゾール−２−イル）−４−（１，１，３，３−テトラメチルブチル）フェノール］、２，２’−メチレンビス［４−ｔ−ブチル−６−（２Ｈ−ベンゾトリアゾール−２−イル）フェノール］、ポリエチレングリコール（重合度３〜１１）と２−［３’−ｔ−ブチル−２’−ヒドロキシー５’−（２−メトキシカルボニルエチル）フェニル］ベンゾトリアゾールとの縮合物、ポリエチレングリコール（重合度３〜１１）とメチル３−［３−（２Ｈ−ベンゾトリアゾール−２−イル）−５−ｔ−ブチル−４−ヒドロキシフェニル] プロピオネートとの縮合物、２−エチルヘキシル−３−［３−ｔ−ブチル−５−（５一クロロー２Ｈ−ベンゾトリアゾール−２−イル）−４−ヒドロキシフェニルコプロピオネート、オクチル−３−［３−ｔ−ブチル−５−（５−クロロ−２Ｈ−ベンゾトリアゾール−２−イル）−４−ヒドロキシフェニル］プロピオネート、メチル−３−[ ３−ｔ−��チル−５−（５−クロロ−２Ｈ一ベンゾトリアゾール−２−イル）−４−ヒドロキシフェニル］プロピオネート、３−［３−ｔ−ブチル−５−（５−クロロ−２Ｈ−ベンゾトリアゾールー２−イル）−４−ヒドロキシフェニル] プロピオン酸、およびそれらの混合物等の２−（２’−ヒドロキシフェニル）ベンゾトリアゾール等が挙げられる。これら紫外線吸収剤はそれぞれ単独で用いてもよいし、２種以上を適宜混合して用いてもよい。
【００７６】
光安定剤としては、例えば、エチル−α−シアノ−β，β−ジフェニルアクリレート、イソオクチル−α−シアノ−β，β−ジフェニルアクリレート、メチル−α−カルボメトキシシンナメート、メチル−α−シアノ−β−メチル−ｐ−メトキシシンナメート、ブチル−α−シアノ−β−メチル−ｐ−メトキシシンナメート、メチル−α−カルボメトキシ−ｐ−メトキシシンナメートおよびＮ−（β−カルボメトキシ−β−シアノビニル）−２−メチルインドリンおよびそれらの混合物等のアクリレート系光安定剤；
２，２’−チオビス−［４−（１，１，３，３−テトラメチルブチル）フェノール] のニッケル錯体、ニッケルジブチルジチオカルバメート、モノアルキルエステルのニッケル塩、ケトキシムのニッケル錯体およびそれらの混合物等のニッケル系光安定剤；
４，４’−ジオクチルオキシオキサニリド、２，２’−ジエトキシオキサニリド、２，２’−ジオクチルオキシ−５，５’−ジ−ｔ−ブチルアニリド、２，２’−ジドデシルオキシ−５，５’−ジ−ｔ−ブチルアニリド、２−エトキシ−２’−エチノレオキサニリド、Ｎ，Ｎ’−ビス（３−ジメチルアミノプロピル）オキサミド、２−エトキシ−５−ｔ−ブチル−２’−エトキシアニリド、２−エトキシ−５，４’−ジ−ｔ−ブチル−２’−エチルオキサニリド、およびそれらの混合物等のオキサミド系光安定剤；
２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−［２，４−ジヒドロキシフェニル−４，６−ビス（２，４−ジメチルフェニル）] −１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−[ ２−ヒドロキシ−４−（２−ヒドロキシ−３−ブチルオキシプロポキシ）フェニル] −４，６−ビス（２，４−ジメチルフェニル）−１，３，５−トリアジン、２−［２−ヒドロキシ−４−（２−ヒドロキシ−３−オクチルオキシプロポキシ）フェニル］−４，６−ビス（２，４−ジメチルフェニル）−１，３，５−トリアジン，およびそれらの混合物等の２−（２−ヒドロキシフェニル）−１，３，５−トリアジン系光安定剤等が挙げられる。これら光安定剤はそれぞれ単独で用いてもよいし、２種以上を適宜混合して用いてもよい。
【００７７】
上記害虫防除剤が添加剤を含有する場合、その含有量は害虫防除成分の種類、使用条件、期間等により変わり得るが、通常は、害虫防除成分の０．０００１〜２重量倍、好ましくは０．００１〜１重量倍、より好ましくは０．０１〜０．５重量倍の範囲内である。
【００７８】
上記害虫防除剤保持部を構成する揮散性物質保持材２２ａに上記害虫防除剤を保持させる方法としては、上記揮散性物質保持材２２ａに上記害虫防除剤を含浸、塗布、印刷、混練する方法の他、害虫防除剤を固化、成形する方法等、種々の方法を採用することができる。
【００７９】
上記揮散性物質保持材２２ａ（害虫防除剤保持部）に保持される害虫防除剤（害虫防除成分）の量は、その用途、使用状況、使用期間等により変化し得るが、一般的には、０．００１ｇ以上、１０ｇ以下、好ましくは０．０１ｇ以上、５ｇ以下、より好ましくは０．１ｇ以上、１ｇ以下である。
【００８０】
一方、上記液体保持部に用いられる揮散性物質保持材２２ｂは、インジケータ部２のボトル５１から常温揮散性の液体５２が絶えず供給されるようになっている。このため、該揮散性物質保持材２２ｂには、通気可能であると共に、インジケータ部２から供給される液体５２を吸液・保持することができ、該揮散性物質保持材２２ｂを通過する気流により、該揮散性物質保持材２２ｂに保持されている液体５２を揮散させることができる材料が用いられる。
【００８１】
このような材料としては、例えば、紙、不織布、布、スポンジ、パルプ、樹脂フィルム、セラミック、多孔質樹脂（発泡ポリプロピレン、発泡ウレタン等）、合成繊維（ナイロン、ポリエステル、ポリプロピレン、ポリエチレン等）、天然繊維（羊毛、絹、綿、麻等）、無機繊維（グラスファイバー等）、無機質成型物およびこれらの成型品等が挙げられるが、特に限定されるものではない。また、シート状担体を、必要に応じて、適宜、折り畳んだり、その一部分を貼り合わせたり、ハニカム状に加工したり、あるいは、その表面に凹凸を設けたりするなどして、担体の体積に対する表面積の拡大を図ることもできる。
【００８２】
上記揮散性物質保持材２２ｂは、体積当たりの表面積が大きいことが好ましく、また、通気性が大きいことが好ましい。このため、上記揮散性物質保持材２２ｂとしては、例えば、ネット状もしくはハニカム状の素材を用いることが好ましい。さらに、ネット状もしくはハニカム状の素材を積み重ねたり、必要に応じて、適宜、折り畳んだり、その一部分を貼り合わせたりして、該揮散性物質保持材２２ｂの体積に対する表面積の拡大を図ることもできる。
【００８３】
上記液体保持部における揮散性物質保持材２２ｂは、図３に示すように、その揮散部から、インジケータ部２に延びる前記突出部２５ａを備え、揮散性物質保持体２１は、この突出部２５ａが、上枠２３ａおよび下枠２３ｂに設けられた支持用把手部２３ｃ・２３ｄの形状に合わせて設けられた構成を有している。
【００８４】
すなわち、上記揮散性物質保持体２１は、その揮散部が、筐体１１の蓋部１６に設けられた吸気口１１ａに対向するように配置され、この揮散部から、突出部２５ａが、上記支持用把手部２３ｃ・２３ｄに支持されて筐体１１の外に引き出されるようになっている。
【００８５】
上記上枠２３ａおよび下枠２３ｂの材料としては、上記揮散性物質保持材２２ａ・２２ｂの形状維持が可能でかつ上記揮散性物質保持材２２ａ・２２ｂにて保持される害虫防除剤や液体５２により変質しない材料であれば、特に限定されるものではない。上記上枠２３ａおよび下枠２３ｂには、例えばプラスチック等が用いられる。
【００８６】
また、上記上枠２３ａおよび下枠２３ｂには、上記揮散性物質保持材２２ａ・２２ｂを安定して支持（保持）するための補強材としてのリブ２６ａ・２６ｂが各枠内に設けられていることが望ましい。
【００８７】
なお、上記揮散性物質保持材２２ａ・２２ｂは、互いに接触しないように分離して設けられてさえいれば、それぞれ異なる材料（素材）により形成されていてもよいし、同じ材料（素材）により形成されていても構わない。上記揮散性物質保持材２２ａ・２２ｂとしては、該揮散性物質保持材２２ａ・２２ｂを通過する気流（空気流）により、該揮散性物質保持材２２ａ・２２ｂに保持されている害虫防除成分等の揮散性物質を適度に揮散させ得るものであることが好ましい。
【００８８】
次に、上記害虫防除器においてインジケータ手段として用いられるインジケータ部２について以下に説明する。
【００８９】
インジケータ部２は、図１〜３に示すように、上記揮散性物質保持体２１における揮散性物質保持材２２ｂ、つまり、第２の揮散部に、前記突出部２５ａを介して液体５２を収容するためのボトル５１（液体収容手段）と、該ボトル５１に収容されている液体５２を上記突出部２５ａを介して揮散性物質保持材２２ｂ（第２の揮散部）に供給する液体供給手段としての中芯５３とを備えている。
【００９０】
該中芯５３は、該中芯５３の一部がボトル５１の上部に設けられた開口部５１ａから突出するように上記ボトル５１内に垂下して設けられ、その上端５３ａを上記突出部２５ａと接触させることにより、該中芯５３により吸い上げた液体５２を上記突出部２５ａを通じて揮散性物質保持材２２ｂの揮散部、つまり、第２の揮散部に連続的に供給することができるようになっている。
【００９１】
上記ボトル５１は、上記中芯５３を固定するための中蓋５４並びに先端がテーパ状に形成された芯押さえ５５を備え、上記ボトル５１に中蓋５４を嵌め込み、該中蓋５４に、芯押さえ５５を取り付けた中芯５３を嵌め込むことで、上記ボトル５１に中芯５３を固定することができるようになっている。上記芯押さえ５５は、先端のテーパ部５６に図示しない切り込みが設けられた構成を有し、該芯押さえ５５に中芯５３を挿入する際に、中芯５３により上記切り込みを外側に押し広げることにより中芯５３を固定することができるようになっている。
【００９２】
揮散性物質保持体２１は、上記ボトル５１の開口部５１ａを塞ぐキャップ５７の側壁５８に設けられた切抜窓５８ａ（開口部）に、支持用把手部２３ｃ・２３ｄで支持した上記突出部２５ａを嵌合させることにより、上記キャップ５７に係合・固定される。一方、上記中芯５３は、上記揮散性物質保持体２１がキャップ５７に係合・固定された状態で、その上端５３ａが上記突出部２５ａに当接するようにその長さが設定されており、該上端５３ａが上記突出部２５ａに当接した状態で上記ボトル５１に固定される。上記中芯５３は、上記揮散性物質保持体２１の下枠２３ｂに設けられた支持用把手部２３ｄ先端側に設けられた貫通孔２３ｅを介して上記突出部２５ａに当接するようになっている。
【００９３】
上記ボトル５１内に収容される液体５２の量と上記揮散性物質保持体２１における揮散性物質保持材２２ａに保持されている害虫防除剤中の害虫防除成分（活性成分）の量とは、互いに相関関係を有するように設定されている。
【００９４】
具体的には、上記害虫防除器は、上記揮散性物質保持体２１における揮散性物質保持材２２ａに保持される害虫防除剤の害虫防除成分の種類やその使用量、上記ボトル５１に収容される液体５２の種類やその使用量、上記揮散性物質保持体２１における揮散性物質保持材２２ａと揮散性物質保持材２２ｂにおける揮散部との比率や材質等が、上記害虫防除剤の害虫防除成分の揮散量と上記ボトル５１に収容される液体５２の揮散量とが比例するように設定されている。
【００９５】
主には、上記害虫防除剤の害虫防除成分の種類と使用量との組み合わせ、並びに、上記ボトル５１に収容される液体５２とその使用量との組み合わせのうち少なくとも一方の組み合わせに応じて、残る条件、例えば上記した害虫防除剤の害虫防除成分とその使用量、上記ボトル５１に収容される液体５２とその使用量、上記揮散性物質保持体２１における揮散性物質保持材２２ａと揮散性物質保持材２２ｂにおける揮散部との比率（各揮散面の面積）、上記揮散性物質保持材２２ａの材質、揮散性物質保持材２２ｂの材質の組み合わせが設定（決定）される。
【００９６】
該設定は、例えば、上記害虫防除剤の害虫防除成分の種類とその害虫防除成分量、上記ボトル５１に収容される液体５２の種類とその使用量、上記揮散性物質保持体２１における揮散性物質保持材２２ａと揮散性物質保持材２２ｂにおける揮散部との比率（各揮散面の面積）、上記揮散性物質保持材２２ａの材質、揮散性物質保持材２２ｂの材質を変動要素とし、これら変動要素を適宜調節することにより行われる。
【００９７】
また、上記揮散性物質保持体２１における第１の揮散部と第２の揮散部とは、共に、害虫防除器本体１のチャンバ１２内に収容され、同じ空間（室）内にて、同一の吸気ファン３１による気流の影響を受ける。つまり、上記揮散性物質保持体２１における第１の揮散部と第２の揮散部とは、同じ揮散環境下に置かれている。
【００９８】
このため、インジケータ機能を担う上記ボトル５１内に収容されている液体５２の揮散と上記揮散性物質保持体２１における第１の揮散部に保持されている害虫防除剤の害虫防除成分の揮散とは互いに相関関係を有している。
【００９９】
これにより、上記インジケータ部２は、上記ボトル５１内に収容されている液体５２の残量をもって、揮散性物質保持体２１における揮散性物質保持材２２ａに保持されている害虫防除剤中の害虫防除成分（活性成分）の残量を表示するようになっている。このため、上記害虫防除器は、上記揮散性物質保持体２１に保持されている害虫防除剤中の害虫防除成分の残量（減少）を目視により把握することが可能である。
【０１００】
上記インジケータ部２において用いられるボトル５１は、上記液体５２を収納する空間を備え、収容する液体５２が一定期間、例えば一年以上漏れ出さないものであればよく、特に限定されないが、好ましくは、液量が外観から把握できる透明あるいは半透明の材質からなることが好ましい。これにより、上記ボトル５１をインジケータ（インジケータ手段）として利用することができるので、上記害虫防除器を安価に製造することができると共に、該ボトル５１内の液体５２の残量、ひいては、揮散性物質保持体２１に保持されている害虫防除剤中の害虫防除成分の残量の確認を、極めて容易に行なうことができる。
【０１０１】
このような材質としては、例えば、ポリ塩化ビニル、ポリエチレンテレフタラート、ポリアクリロニトリル、ポリエチレン、塩化ビニル−酢酸ビニル共重合体またはこれらの複合材料等の合成樹脂等が用いられるが、特に限定されるものではない。
【０１０２】
また、上記中芯５３としては、上記ボトル５１に収容されている液体５２を吸液し、上記揮散性物質保持体２１における揮散性物質保持材２２ｂ、つまり、第２の揮散部に供給することができるものであれば、その材質は特に限定されるものではない。
【０１０３】
上記中芯５３の具体例としては、例えば、フェルト；木綿；布；パルプ；紙；発泡ポリプロピレンや発泡ウレタン等の多孔質樹脂；不織布；石綿；多孔質セラミック；合成繊維ナイロン、ポリエステル、ポリプロピレン、ポリエチレン等の合成繊維；羊毛、絹、綿、麻等の天然繊維；グラスファイバー等の無機繊維；無機質成型物；およびこれらの成型品等の吸液体が挙げられる。
【０１０４】
本実施の形態において用いられる上記液体５２としては、その一部、好ましくは全部が常温で揮散し得る液体であれば、特に限定されるものではなく、インジケータとしての機能のみを付与する場合には、例えば、水、炭化水素、エステル、アルコール等の溶剤およびその混合溶液等が用いられる。
【０１０５】
また、上記液体５２は、必要に応じて、害虫防除成分、植物精油等に含まれる香気・抗菌・害虫忌避成分，ディート等の合成害虫忌避剤、香料、色素、ジブチルヒドロキシトルエン（ＢＨＴ）等の安定化剤、紫外線吸収剤、界面活性剤等を含有していてもよい。
【０１０６】
また、上記ボトル５１を透明もしくは半透明の材質にて形成することにより上記液体５２の残量を直接目視確認する場合、上記液体５２に、該液体５２に溶解する色素等を含有させておいても構わない。
【０１０７】
上記液体５２に、必要に応じて上述した各種成分を含有させることにより、上記インジケータ部２に、インジケータとしての機能と、薬剤保持部としての２つの機能を持たせることができ、前記害虫防除成分よりも高揮散性（高揮発性）または低揮散性（低揮発性）の薬剤あるいは固体の薬剤であっても、前記害虫防除剤との複合化を図ることができる。
【０１０８】
この結果、予め香料等の低沸点の薬剤を害虫防除剤と共に含浸させておいた場合、その沸点の違いから、害虫防除剤の失効前に薬剤が全て揮散してしまうという問題点をも克服し、前記害虫防除成分、つまり、揮散性物質保持体２１の第１の揮散部に保持されている害虫防除剤の害虫防除成分と上記薬剤との薬効切れの時間を容易かつ正確に合わせることができる。このため、上記害虫防除器に、消臭作用や抗菌作用、芳香作用等、ユーザのニーズに合わせた種々の複合機能を付与することができ、また、その活性成分の失効までの有効期間も、任意に設定することができる。
【０１０９】
上記液体５２に含有される薬剤としては、上記揮散性物質保持体２１に保持されている害虫防除成分より揮散性の高い薬剤や溶媒を使用することが効率的であるが、前記したように上記害虫防除剤の害虫防除成分の種類とその害虫防除成分量、上記ボトル５１に収容される液体５２の種類とその使用量、上記揮散性物質保持体２１における揮散性物質保持材２２ａと揮散性物質保持材２２ｂにおける揮散部との比率（各揮散面の面積）、上記揮散性物質保持材２２ａの材質、揮散性物質保持材２２ｂの材質等を適宜変更することにより、上記揮散性物質保持体２１に保持されている害虫防除成分より低揮散性（低揮発性）の薬剤を使用することもできる。
【０１１０】
上記ボトル５１内に収容される液体５２の液量は任意に設定することができるが、望ましくは、上記揮散性物質保持体２１に保持されている害虫防除成分の害虫防除効果が有効でなくなった時点、つまり、薬効切れとなった時点で、もしくは、薬効切れとなる直前に、上記ボトル５１内の液体が消失するかあるいは極少量になっていることが好ましく、薬効切れとなった時点で上記ボトル５１内の液体が消失するかあるいは極少量になっていることがより好ましい。
【０１１１】
上記害虫防除器を使用すれば、上記ボトル５１内に収容される液体５２の揮散量と上記害虫防除剤の揮散量とが比例するように設定することができ、終点管理並びに揮散量の制御が容易であることから、上記ボトル５１内に収容される液体５２の消失点と上記害虫防除剤の失効点とを任意に設定することができる。
【０１１２】
上記中芯５３により吸液された上記の液体５２は、前記したように、中芯５３を上記揮散性物質保持体２１における突出部２５ａに接触させることにより、該中芯５３を通じて上記揮散性物質保持体２１の第２の揮散部に供給される。
【０１１３】
この場合、上記中芯５３に例えば軟性の素材を使用する場合、上記中芯５３の周囲、例えば、中蓋５４に、ストッパー機構として図３に示すようなリブ５４ａ（突起部）を形成し、該リブ５４ａを、上記突出部２５ａを支持する、下枠２３ｂに設けられた支持用把手部２３ｄに当接させることにより上記揮散性物質保持体２１を支持することが望ましい。
【０１１４】
上記ボトル５１は、上記キャップ５７に係合された揮散性物質保持体２１を、蓋部１６と筐体本体１４とにより形成された開口部１７から、筐体本体１４の上端面１４ｃと天板１６ａとの間に形成される空間部に挿入し、該ボトル５１を、筐体本体１４の周壁１４ｂ外周面に設けられたボトル収容部６１に載置することで、上記害虫防除器本体１、具体的には、筐体１１の側面に立設して用いられる。このとき、上記ボトル収容部６１は、該ボトル収容部６１にボトル５１（インジケータ部２）を立設したときに、該ボトル５１が排気口１１ｂを塞がない位置、つまり、上記排気口１１ｂから離間した位置に設けられる。これにより、上記ボトル５１により、排気口１１ｂから排出される揮散性物質の拡散を阻害することがなく、しかも、上記ボトル５１を、上記した内部構成を有する筐体１１の側面に立設して設けることにより、害虫防除器の高さを抑え、コンパクトにすることができる。
【０１１５】
このようにインジケータとして上記ボトル５１を設ける場合、ボトル５１の底壁５１ｂから上記揮散性物質保持体２１と上記中芯５３との当接位置までの距離に等しい高さを確保する必要がある。このため、上記揮散性物質保持体２１よりも上方に回転翼３２やモータ３３ａ等を配置した場合、その分、害虫防除器の高さを高く設計する必要がある。このため、上記した構成とすることで、上記揮散性物質保持体２１下方のスペースを効率良く使用することができ、また、害虫防除器の高さを抑え、コンパクトにすることができる。
【０１１６】
なお、本実施の形態では、上記揮散性物質保持体２１の揮散部を、優弧状に形成された第１の揮散部（揮散性物質保持材２２ａ）と劣弧状に形成された第２の揮散部（揮散性物質保持材２２ｂ）とからなる円形状に形成した構成としたが、上記揮散性物質保持体２１の揮散部の構成は、これに限定されるものではなく、、種々の形状とすることができる。また、上記揮散性物質保持体２１の第１の揮散部と第２の揮散部との区画の仕方、つまり、各揮散部の形状も特に限定されるものではない。
【０１１７】
また、本実施の形態では、上記揮散性物質保持体２１における第１および第２の揮散部が、同一平面に配置されている構成としたが、上記揮散性物質保持体２１における第１および第２の揮散部の位置関係は、これに限定されるものではなく、例えば上下に設けられていても構わない。
【０１１８】
これら各種構成のなかでも、上記揮散性物質保持体２１の揮散部を、前記回転翼３２とほぼ同じ径を有する円形状に形成することが、揮散部全面に均一な通気（通風）を行うことができ、これにより、揮散効率を高めることができると共に、終点管理並びに揮散量の制御を容易に行うことができることから好ましい。
【０１１９】
また、上記第２の揮散部への上記液体５２の液体供給機構（液体供給手段）としては、上記ボトル５１内の液体５２を吸液する吸液体を上記中芯５３として用いた吸液供給機構が、簡素かつ安価でしかも連続して一定の液体量を上記第２の揮散部に供給することができることから好適に用いられるが、上記液体供給機構としては、上記ボトル５１内に収容されている液体５２を上記第２の揮散部に供給することができさえすれば、これに限定されるものではない。
【０１２０】
また、本実施の形態では、上記吸気口１１ａを放射状に形成された貫通孔により形成した構成としたが、安全上、上記吸気口１１ａ内への指の誤挿入を防止することができさえすればよく、上記吸気口１１ａの形状はこれに限定されるものではない。
【０１２１】
また、本実施の形態では、上記筐体本体１４を、図１〜図３に示す形状としたが、例えば円筒形であってもよく、上記筐体本体１４の形状は図１〜図３に示す形状に限定されるものではなく、その蓋部１６における側壁１６ｂは、揮散性物質保持体２１をスライド挿入するための開口部１７を形成すべく、部分的に開口された構成を有していればよい。
【０１２２】
また、本実施の形態では、揮散性物質保持体２１が、揮散性物質保持材２２を、上枠２３ａおよび下枠２３ｂからなる一対の枠２３で挟持した構成を有し、該揮散性物質保持体２１が、筐体本体１４の上端面１４ｃと天板１６ａとの間に形成される空間部に、蓋部１６を筐体本体１４と係合することによって形成される開口部１７からスライド挿入されることで筐体１１内に嵌脱可能に収容される構成としたが、本発明はこれに限定されるものではなく、例えば、着脱可能に設けられた蓋部を開放することにより、揮散性物質保持体２１が交換可能に設けられた構成としてもよい。
【０１２３】
また、本実施の形態においては、上記回転翼３２が、回転中心に円板３２ａを備え、該円板３２ａの周囲に、複数の螺旋翼３２ｂがうず巻き状に形成された構成としたが、上記回転翼３２の形状は、これに限定されるものではなく、スクリュー状、あるいはプロペラ状等、その回転により回転翼３２の前面より吸気し、回転翼３２の周囲より外方に送風することができるものであれば、特に限定されるものではない。吸気ファン３１は、回転翼３２の形状や回転方向等を適宜設定することにより、回転翼３２の上面より吸気し、その側方に排気を行うことができる。
【０１２４】
本実施の形態において、上記吸気ファン３１によって発生する気流の速度、すなわち、上記揮散性物質保持体２１を通過する気流（風）の速度は、上記第１の揮散部に保持されている害虫防除剤が、十分な効果を発揮することができる量で害虫防除成分を揮散するのに十分な速度であれば特に限定されるものではないが、通常は、害虫防除剤の種類にもよるが、０．１ｍ／ｓ以上、１０ｍ／ｓ以下の範囲内である。
【０１２５】
上記害虫防除成分や液体５２の揮散量は、これら害虫防除成分や液体５２の種類、揮散性物質保持体２１における揮散性物質保持材２２ａ・２２ｂの揮散部の面積や材質、吸気ファン３１の風量等により、適宜コントロールすることが可能である。
【０１２６】
また、本実施の形態では、上記害虫防除器の吸気ファン３１が電池により駆動される構成について説明したが、上記駆動系収容部１３に、電池の代わりに、コード類を収容し、商用電源を用いて吸気ファン３１を駆動する構成としても構わない。なお、電池を用いることにより、設置場所の制約を受けることがなく、また、小型化することで携帯させることも可能であり、利便性を向上させることができる。
【０１２７】
本実施の形態にかかる上記害虫防除器により防除し得る代表的な害虫としては、具体的には、例えば、各種の有害昆虫、ダニ類等の節足動物等を挙げることができ、特に飛翔性害虫、例えばアカイエカ、コガタアカイエカ等のイエカ類、ネッタイシマカ、ヒトスジシマカ等のヤブカ類、シナハマダラカ等のハマダラカ類、ユスリカ類、イエバエ、オオイエバエ、ヒメイエバエ等のイエバエ類、クロバエ類、ニクバエ類、ショウジョウバエ類、チョウバエ類、ノミバエ類、アブ類、ブユ類、サシバエ類、ヌカカ類等の双し目害虫が挙げられる。
【０１２８】
本実施の形態によれば、上記各害虫防除器を使用することにより、優れた害虫防除効果が得られるとともに、害虫防除剤の害虫防除成分の減少および終点を確実に確認することができる。
【０１２９】
なお、上記害虫防除器は、上記揮散性物質保持体２１に保持されている害虫防除剤の薬効切れに際し、上記揮散性物質保持体２１を交換することにより、再使用可能な構成とすることができる。
【０１３０】
この場合、例えば、均一規格の揮散性物質保持体２１を使用し、上記揮散性物質保持体２１に保持される害虫防除剤の種類並びに上記揮散性物質保持体２１における第１の揮散部と第２の揮散部との大きさに応じて、上記ボトル５１内に収容される液体５２の液量を、該液体５２の成分（沸点、揮散性（揮発性）等）に基づいて液体５２の成分毎に各々設定することにより、均一規格の揮散性物質保持体２１を使用し、消耗品としての揮散性物質保持体２１やそれに保持される揮散性物質、および、液体供給手段（例えば前記中芯５３）、液体５２が収容されたボトル５１あるいは上記液体５２等を交換すれば、例えば消耗品の交換の度に、該交換に伴って、例えば別の香気成分が配合された液体が収容されたボトル５１を購入者がその都度インジケータとして任意に選択することができる等、種々の使用方法、使用用途があり、しかも、消耗品を交換しても正確なインジケータ機能を有する害虫防除器およびそれに用いる揮散性物質保持体を提供することができる。
【０１３１】
以下に、上記ボトル５１内に収容される液体５２の液体量を決定する方法の一例を説明するが、上記液体量を決定する方法は、以下に示す方法に限定されるものではない。
例えば、まず最初に、ボトル５１に印をつける等の方法により、ボトル５１内の液面の高さを把握する。次に本実施の形態にかかる上記害虫防除器を駆動し、経時的に害虫防除活性試験または害虫防除成分の単位時間当たりの揮散量測定試験を行う。そして、害虫防除活性または害虫防除成分の単位時間当たりの揮散量が目標とする値よりも低下した時点の、上記ボトル５１内の液面の高さを把握し、最初の液面の高さ、すなわち、上記害虫防除器駆動前のボトル５１内の液面の高さと、害虫防除活性または害虫防除成分の単位時間当たりの揮散量低下時の液面の高さとから、消費された液体量を計算し、この計算された液量を、上記害虫防除活性試験または害虫防除成分の単位時間当たりの揮散量測定試験に供した液体５２の液体量とする。該方法によれば、上記ボトル５１内に収容される液体５２の液体量を変動値（変数）として終点制御を行うことができる。
【０１３２】
本実施の形態にかかる上記害虫防除器を用いれば、同じ原理で３０日用でも６０日用でも、１００日用でも自在に設定することができ、また、微妙な終点制御が可能であり、正確なインジケータ機能を付与することができる。
【０１３３】
【発明の効果】
本発明によれば、害虫防除成分の揮散が阻害されることがなく、該害虫防除成分の害虫防除能を最大限に発揮させることができると共に、終点管理並びに揮散量の制御が容易であり、上記液体の消失点と上記害虫防除剤の失効点とを任意かつ容易に設定することができ、しかも、害虫防除剤中の害虫防除成分の減少および終点を、目視により容易かつ確実に確認することができるコンパクトな害虫防除器を提供することができるという効果を奏する。
【図面の簡単な説明】
【図１】本発明の一実施の形態にかかる害虫防除器の構成を示す斜視図である。
【図２】上記害虫防除器の断面の構成を模式的に示す断面斜視図である。
【図３】上記害虫防除器の構成を一部分解して示す分解斜視図である。
【図４】上記害虫防除器の蓋体内部に収容される吸気ファンの構成を示す分解斜視図である。
【図５】（ａ）は、上記吸気ファンの構成を、該吸気ファンを回転翼受皿に取り付けた状態にて示す側面図であり、（ｂ）は、（ａ）のＡ−Ａ線矢視断面図である。
【符号の説明】
１    害虫防除器本体
２    インジケータ部（インジケータ手段）
３    ボトル
１１    筐体
１１ａ  吸気口
１１ｂ  排気口
１１ｃ  側壁面（排気口の側壁面）
１２    チャンバ
１３    駆動系収容部
１４    筐体本体
１５    開口部
１６    蓋部
１６ａ  天板（天壁）
１６ｂ  側壁
１７    開口部
１８    窪部
２１    揮散性物質保持体
２２ａ  揮散性物質保持材（第１の揮散部）
２２ｂ  揮散性物質保持材（第２の揮散部）
２３ａ  上枠
２３ｂ  下枠
２３ｃ  支持用把手部
２３ｄ  支持用把手部
２３ｅ  貫通孔
２４    突出部
２５ａ  突出部
３１    吸気ファン
３２    回転翼
３２ａ  円板
３２ｂ  螺旋翼
３３    駆動系
３３ａ  モータ
４１    回転翼受皿（仕切板）
４１ａ  底壁（仕切板）
４１ｂ  周壁
４２    貫通孔
４３    支持軸
５１    ボトル（液体収容手段）
５１ａ  開口部
５１ｂ  底壁
５２    液体
５３    中芯（液体供給手段）
５３ａ  上端
５４    中蓋
５４ａ  リブ
５５    芯押さえ
５６    テーパ部
５７    キャップ
５８    側壁
５８ａ  切抜窓
６１    ボトル収容部
【図１】
0004741753.tif 000002
【図２】
0004741753.tif 000003
【図３】
0004741753.tif 000004
【図４】
0004741753.tif 000005
【図５】
0004741753.tif 000006